【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
下記一般式を持つ化合物からなる群より選択されるプレポリマー。
YCO-CH=CHCOW（R1）（SiR2R3O）m（SiR2R3）（R1）WOCCH=CH-COY，
CH2=C（CH2COY）COW（R1）（SiR2R3O）m（SiR2R3）（R1）WOC（CH2COY）C=CH2,
および
CH2=C（CH2COY）COW（R1）（SiR2R3O）m（SiR2R3）（R1）WOCCH2（COY）C=CH2
（式中、Ｒ１はアルキレンおよびエーテル結合を含むアルキレンからなる群より選択され、Ｒ２およびＲ３は、それぞれ、置換されていないか、あるいはハロゲンおよびエーテル結合で置換されたアルキル基またはフェニル基であり、ＷはＯまたはＮＨであり、ｍは２〜２００の整数であり、Ｙは親水性モノマーの反応性オリゴマーから誘導される残基である。）
【請求項２】
Ｒ１が１〜１０個の炭素原子を含むことを特徴とする請求項１に記載のプレポリマー。
【請求項３】
下記一般式を持つ化合物であることを特徴とする請求項１に記載のプレポリマー。
YCO-CH=CHCOW（R1）（SiR2R3O）m（SiR2R3）（R1）WOCCH=CH-COY
（式中、Ｒ１はアルキレンおよびエーテル結合を含むアルキレンからなる群より選択され、Ｒ２とＲ３はメチル基であり、ｍは５〜２００の整数であり、ＷはＯであり、Ｙは、アミド、水酸基および両性イオン基を含む親水性モノマーからなる群より選択される親水性モノマーから誘導される反応性オリゴマーであって、トランス型の立体配置を有する。）
【請求項４】
下記一般式を持つ化合物であることを特徴とする請求項１に記載のプレポリマー。
YCO-CH=CHCOW（R1）（SiR2R3O）m（SiR2R3）（R1）WOCCH=CH-COY
（式中、Ｒ１はアルキレンおよびエーテル結合を含むアルキレンからなる群より選択され、Ｒ２とＲ３はメチル基であり、ｍは５〜２００の整数であり、ＷはＯであり、Ｙは、アミド、水酸基および両性イオン基を含む親水性モノマーからなる群より選択される親水性モノマーから誘導される反応性オリゴマーであって、シス型の立体配置を有する。）
【請求項５】
下記一般式を持つ機能性を有する化合物であることを特徴とする請求項１に記載のプレポリマー。
CH2=C（CH2COY）COW（R1）（SiR2R3O）m（SiR2R3）（R1）WOC（CH2COY）C=CH2,
または
CH2=C（CH2COY）COW（R1）（SiR2R3O）m（SiR2R3）（R1）WOCCH2（COY）C=CH2
（式中、Ｒ１はアルキレンおよびエーテル結合を含むアルキレンからなる群より選択され、Ｒ２とＲ３はメチル基であり、ｍは５〜１００の整数であり、ＷはＯであり、Ｙは、アミド、水酸基および両性イオン基を含む親水性モノマーからなる群より選択される親水性モノマーから誘導される反応性オリゴマーである。）
【請求項６】
下記一般式を持つ化合物であることを特徴とする請求項１に記載のプレポリマー。
YCO-CH=CHCOW（R1）（SiR2R3O）m（SiR2R3）（R1）WOCCH=CH-COY
（式中、Ｒ１はアルキレンおよびエーテル結合を含むアルキレンからなる群より選択され、Ｒ２とＲ３はメチル基であり、ｍは５〜２００の整数であり、ＷはＯであり、Ｙは、Ｎ-ビニルピロリジノンから誘導される反応性オリゴマーであって、トランス型の立体配置を有する。）
【請求項７】
下記一般式を持つ化合物であることを特徴とする請求項１に記載のプレポリマー。
YCO-CH=CHCOW（R1）（SiR2R3O）m（SiR2R3）（R1）WOCCH=CH-COY
（式中、Ｒ１はアルキレンおよびエーテル結合を含むアルキレンからなる群より選択され、Ｒ２とＲ３はメチル基であり、ｍは５〜２００の整数であり、ＷはＯであり、ＹはＮ-ビニルピロリジノンから誘導される反応性オリゴマーであって、シス型の立体配置を有する。）
【請求項８】
下記一般式を持つ機能性化合物であることを特徴とする請求項１に記載のプレポリマー。
CH2=C（CH2COY）COW（R1）（SiR2R3O）m（SiR2R3）（R1）WOC（CH2COY）C=CH2,
または
CH2=C（CH2COY）COW（R1）（SiR2R3O）m（SiR2R3）（R1）WOCCH2（COY）C=CH2
（式中、Ｒ１はアルキレンおよびエーテル結合を含むアルキレンからなる群より選択され、Ｒ２とＲ３はメチル基であり、ｍは５〜１００の整数であり、ＷはＯであり、ＹはＮ-ビニルピロリジノンから誘導される反応性オリゴマーである。）
【請求項９】
モノマー混合物を重合することによって調製されるコポリマーであって、前記モノマー混合物が、
（Ａ）１０〜８０重量％の、下記の一般式を持つ化合物からなる群より選択される少なくとも１種類のプレポリマー
YCO-CH=CHCOW（R1）（SiR2R3O）m（SiR2R3）（R1）WOCCH=CH-COY，
CH2=C（CH2COY）COW（R1）（SiR2R3O）m（SiR2R3）（R1）WOC（CH2COY）C=CH2,
および
CH2=C（CH2COY）COW（R1）（SiR2R3O）m（SiR2R3）（R1）WOCCH2（COY）C=CH2
（式中、Ｒ１はアルキレンおよびエーテル結合を含むアルキレンからなる群より選択され、Ｒ２およびＲ３は、それぞれ、置換されていないか、あるいはハロゲンおよびエーテル結合で置換されたアルキル基またはフェニル基であり、ＷはＯまたはＮＨであり、ｍは２〜２００の整数であり、Ｙは親水性モノマーの反応性オリゴマーから誘導される残基である。）
と、
（Ｂ）１０〜９０重量％の、少なくとも１種類の共重合可能な器具を形成するモノマーと、
を含むモノマー混合物であることを特徴とするコポリマー。
【請求項１０】
１０〜５０重量％の、少なくとも１種類の付加的なシリコーン含有モノマーと、
１０〜５０重量％の、少なくとも１種類の共重合可能な器具形成用の親水性モノマーと、
を含むモノマー混合物であることを特徴とする請求項９に記載のコポリマー。
【請求項１１】
主成分として、
（Ａ）１０〜９０重量％の、下記の一般式を持つ化合物からなる群より選択される少なくとも１種類のプレポリマー
YCO-CH=CHCOW（R1）（SiR2R3O）m（SiR2R3）（R1）WOCCH=CH-COY，
CH2=C（CH2COY）COW（R1）（SiR2R3O）m（SiR2R3）（R1）WOC（CH2COY）C=CH2,
および
CH2=C（CH2COY）COW（R1）（SiR2R3O）m（SiR2R3）（R1）WOCCH2（COY）C=CH2
（式中、Ｒ１はアルキレンおよびエーテル結合を含むアルキレンからなる群より選択され、Ｒ２およびＲ３は、それぞれ、置換されていないか、あるいはハロゲンおよびエーテル結合で置換されたアルキル基またはフェニル基であり、ＷはＯまたはＮＨであり、ｍは２〜２００の整数であり、Ｙは親水性モノマーの反応性オリゴマーから誘導される残基である。）
と、
（Ｂ）１０〜９０重量％の、少なくとも１種類の共重合可能な器具形成用のモノマー、
を有してなるモノマー混合物を重合させることにより調製されるコポリマーを含む医療用器具。
【請求項１２】
１０〜５０重量％の、少なくとも１種類の付加的なシリコーン含有モノマーと、
１０〜５０重量％の、少なくとも１種類の共重合可能な器具形成用の親水性モノマーと、
を含むことを特徴とする請求項１１に記載の医療用器具。
【請求項１３】
医療用器具が、心臓弁、制御ドラッグデリバリーシステム、眼内レンズ、コンタクトレンズ、子宮内器具、体内管代用物、人工尿管、および人工乳房組織からなる群より選択されることを特徴とする請求項１１に記載の医療用器具。
【請求項１４】
前記医療用器具がコンタクトレンズであることを特徴とする、請求項１３に記載の医療用器具。
【請求項１５】
前記医療用器具がソフトコンタクトレンズであることを特徴とする請求項１４に記載の医療用器具。